(57)【特許請求の範囲】
【請求項１】
接続部分（１３）によって相互接続された２つのステージと、前記２つのステージを切り離す装置であって、前記接続部分（１３）に対して配置される円形状の成型爆薬（１５）を含む装置と、を備えるエアロノーティカルクラフト（１０、１２Ｂ）であって、前記成型爆薬（１５）は、
−内包シェル（１）、
−前記内包シェル（１）内に配置されて、Ｖ字状の表面（２Ｂ）を有する装薬（２）、
−前記装薬（２）の背後に配置されるヒューズ（３）、
−前記装薬（２）のＶ字状の凹面（２Ｂ）の前に配置される発射コーティング（４）、
−前記発射コーティング（４）を加熱するための発熱性の材料（１０）、
を備え、
前記発熱性の材料（１０）は、前記装薬（２）の前記Ｖ字状の凹面（２Ｂ）上に配置され、前記発射コーティング（４）は、前記発熱性の材料（１０）上に配置されるか、
または、前記発熱性の材料は、前記装薬（２）に混合される、エアロノーティカルクラフト（１０、１２Ｂ）。
【請求項２】
エアロノーティカルクラフト（１０、１２Ｂ）であって、前記エアロノーティカルクラフトの一部を無効にする装置を備え、前記無効にする装置は成型爆薬（１５）を備え、前記成型爆薬（１５）は、
−内包シェル（１）、
−前記内包シェル（１）内に配置されて、Ｖ字状の表面（２Ｂ）を有する装薬（２）、
−前記装薬（２）の背後に配置されるヒューズ（３）、
−前記装薬（２）のＶ字状の凹面（２Ｂ）の前に配置される発射コーティング（４）、
−前記発射コーティング（４）を加熱するための、前記エアロノーティカルクラフトの壁（２０）の内側表面に対して配置される発熱性の材料（１０）、
を備え、
前記発熱性の材料（１０）は、前記装薬（２）の前記Ｖ字状の凹面（２Ｂ）上に配置され、前記発射コーティング（４）は、前記発熱性の材料（１０）上に配置されるか、
または、前記発熱性の材料は、前記装薬（２）に混合される、エアロノーティカルクラフト（１０、１２Ｂ）。
【請求項３】
前記成型爆薬（２２、２４）は、回転されて、前記エアロノーティカルクラフトの壁（２０）によって囲まれる、請求項２に記載のエアロノーティカルクラフト。
【請求項４】
前記成型爆薬（２６）は、延長されて、前記エアロノーティカルクラフトの壁（２０）の内側表面の母線上に配置される、請求項２に記載のエアロノーティカルクラフト。
【発明の詳細な説明】
【技術分野】
【０００１】
本発明は、概してすべての工業的アプリケーションのための、しかし特に航空術のための成型爆薬に関する。
【背景技術】
【０００２】
成型爆薬は、弾薬を形成するために、特に装甲を突き通すために、前もって使用する技術である。しかしながら、それらは、工業において多くのアプリケーション（例えば、ケーブルを切断用、または、前もって接続された２つのアセンブリを切り離すための接続部分の劣化用）を発見することができる。
【０００３】
図１に関して、従来の成型爆薬は、主に、中空状のシェル１、シェル１の内側に配置される装薬２、装薬の背面２Ａ上に配置されるヒューズ３、および装薬の前面２Ｂ上に配置される金属コーティング４を備える。金属コーティング４は、好ましくは銅であることが記載される。
【０００４】
図２に関して、成型爆薬の作動は、以下のようである。矢印５によって示されるように、ヒューズ３は、突出したプレートによって打たれる。装薬２は、このように起動して、爆発状態に入る。次いで、波は、装薬２の全ての爆発性バルクにおいて伝播される。図１の表面２ＢのＶ字くぼみ形状のために、成型爆薬の軸線において、そして特に装薬２の表面２ＢのＶの底で、エネルギー集中が発生する。このように、コーティング４は、次いで推進されて、ジェット６を形成するために成型爆薬の軸線に集中する。ジェット６の伝播速度は、次式によって表される。
【０００５】
【数１】
0006598787.tif 000002
ここで、Ｖはジェット速度であり、Ｄは爆発速度である。
【０００６】
この種の装置は、工業において、特に軍の兵器において、装甲を突き通すための多くのアプリケーションを有することができるものと理解される。
【発明の概要】
【発明が解決しようとする課題】
【０００７】
本発明の目的は、多くのアプリケーションのための、しかし特に航空術において、特にエアロノーティカルクラフト（例えばロケットおよびその発射ステージ）の２つのステージを切り離すための、改良されたタイプの成型爆薬を提供することである。
【課題を解決するための手段】
【０００８】
本発明の第１の目的は、したがって、
−内包シェル、
−内包シェル内に配置されて、Ｖ字状の凹面を有する装薬、
−装薬のＶ字状の凹面の前に配置される発射材料コーティング、
を備える成型爆薬である。
【０００９】
本発明によれば、発射材料コーティングを加熱するための発熱性の材料（すなわち発熱材料）が用いられる。
【００１０】
第１の実施形態においては、発熱性の材料は、装薬のＶ字状の凹面上に配置される。そして、発熱性の材料上に、発射材料コーティングが配置される。
【００１１】
本発明の第２実施形態において、発熱性の材料は、装薬に混合される。
【００１２】
本発明の第２の主要な目的は、両方のステージが接続部分によって互いに接続しているエアロノーティカルクラフトの２つのステージを切り離すための装置である。
【００１３】
本発明によれば、先に定義されるように、成型爆薬は、円形形状を有して、接続部分の周辺に配置されて使用される。そして、この接続部分の内側表面の前に、発熱性の材料が配置される。
【００１４】
第３の主な目的は、エアロノーティカルクラフトの一部を無効にする装置である。
【００１５】
本発明によれば、先に定義されるように、成型爆薬は使用される。そして、発熱性の材料がエアロノーティカルクラフトの内側表面に面して配置される。
【００１６】
２つの可能性が考察される。第１の可能性は、破壊されるエアロノーティカルクラフトの一部の内側表面に対して配置されるこの成型爆薬の円形のクラウンを使用することである。一方、第２の可能性は、エアロノーティカルクラフトの軸線に関して長手方向に無効にされる、すなわち破壊される、エアロノーティカルクラフトの部分の内側表面に対して配置される直線形の成型爆薬を使用することである。
【００１７】
本発明およびその異なる技術的な特徴は、いくつかの図とともに以下の説明を読むと、即座によりよく理解されるであろう。
【図面の簡単な説明】
【００１８】
【図１】図１は、従来技術による成型爆薬の作動前の断面図である。
【図２】図２は、従来技術による同じ成型爆薬の作動中の断面図である。
【図３】図３は、本発明の第１実施形態による中空爆薬の断面図である。
【図４】図４は、本発明による成型爆薬の３種類のアプリケーションである。
【図５Ａ】図５Ａは、航空発射装置の２つの部分を切り離すための本発明による成型爆薬のアプリケーションを表すダイアグラムである。
【図５Ｂ】図５Ｂは、航空発射装置の２つの部分を切り離すための本発明による成型爆薬のアプリケーションを表すダイアグラムである。
【図５Ｃ】図５Ｃは、航空発射装置の２つの部分を切り離すための本発明による成型爆薬のアプリケーションを表すダイアグラムである。
【図６Ａ】図６Ａは、このアプリケーションの作動に関するダイアグラムである。
【図６Ｂ】図６Ｂは、このアプリケーションの作動に関するダイアグラムである。
【図６Ｃ】図６Ｃは、このアプリケーションの作動に関するダイアグラムである。
【発明を実施するための形態】
【００１９】
図３に関して、本発明の成型爆薬は、従来技術のそれのように、シェル１を備える。装薬２は、常に、回転しているかまたは延長された凹んだＶ字状に配置されて、金属的である発射コーティング４によってカバーされる。もちろん、ヒューズ３は、成型爆薬を爆発させることが可能な装薬２の背後に配置される。
【００２０】
本発明によれば、本発明による第１実施形態において、発熱性の材料１０の層は、装薬２のＶ字状表面２Ｂ上に、そして発射コーティング４の背後に配置される。換言すれば、発熱性の材料１０は、発射コーティング４と装薬２との間に挟まれている。
【００２１】
この発熱性の（すなわち発熱する）材料１０は、好ましくはテルミットまたはナノテルミットである。ヒューズ３を起動させることによって装薬２の爆発状態を開始すると、即座に、伝播波は、全ての装薬２に伝播されて、Ｖ字状の凹面２Ｂに到達する。発熱性の材料１０の層は、次いで、剥ぎ取られ始めて、非常に急速に加熱され始める。次いで、発熱性の材料１０および発射コーティング４のアマルガムをともなうジェット６（図２に記載される）は、形成される。衝撃波の作用の下で、非常に急速に暖められて溶融した（ｍｏｌｔｅｎ）アマルガムとともに、発熱性の材料１０および発射コーティング２の全ての段階的な展開が、このようにある。
【００２２】
ジェット６（図２）を発射する機械的効果のために、目標がより容易に溶融することを可能にする熱的影響は、これにより加えられる。
【００２３】
発射コーティング４の選択は、目標およびその密度の関数として、好ましくはなされる。この選択は、次式によって定義されることができる。
【００２４】
【数２】
0006598787.tif 000003
ここで、ρｊは発射コーティングの材料密度であり、ρｃは目標密度であり、Ｌはジェット長であり、Ｐは目標のジェットの浸透長さである。
【００２５】
発熱性の材料１０を占めているナノテルミットまたはテルミットの選択は、発射コーティング４の材料並びにジェットパス時間の関数としてなされる。そしてそれは、発射材料４のコーティングおよび装薬２の密度に強く依存する。目的は、ジェット衝撃時に、目標上に最大温度を達成することである。
【００２６】
図４に関して、エアロノーティカルクラフト（ａｅｒｏｎａｕｔｉｃａｌ  ｃｒａｆｔ）の前部が表される。その壁２０上に、３つの暗いパーツ２２、２４および２６が表される。パーツ２２および２４は、エアロノーティカルクラフトの壁２０の内側表面に結合される回転しているパーツである。それらは、前述したように、各々、成型爆薬を含むクラウンから成る。発射コーティングでおおわれているＶ字状の凹面は、エアロノーティカルクラフトの壁２０のこの内側表面に対して向けられる。クラウン２２は、エアロノーティカルクラフトの円筒状部分に配置される。ここで、航空機を無効にする（すなわち破壊する）ための侵入をすることが決定される。
【００２７】
円筒状でなくて、円錐またはオジーブ状（例えばタンクの底）である内側表面上において、クラウン２４は、エアロノーティカルクラフトの前部内側に配置される。発射材料のコーティングは、常にこのエアロノーティカルクラフトの壁２０の内側表面に対して向けられる。
【００２８】
最後に、部分２６は、前述したように、成型爆薬によって形成されるバーでできている細長い部分である。そして、発射コーティングもエアロノーティカルクラフトの壁２０の内側表面に対して向けられる。
【００２９】
これらの異なるクラウンおよびバーは、破壊されておよび／または無効にされることが望ましい部分に面して配置される。
【００３０】
図５Ａは、航空発射装置のステージ８のベースに配置される、いくつかのロケットエンジン１２Ａおよび１２Ｂを備える、航空発射装置のステージ８を表す。
【００３１】
図５Ｂは、特にロケットエンジン１２Ａおよび１２Ｂの上部で、このアセンブリの詳細を示す。実際、中心のロケットエンジン１２Ｂは、その頂部にステージ８が配置されることが分かる。この接続は、図５Ｃに離れて表される接続クラウン１３によってなされる。
【００３２】
本発明による分離装置の作動は、接続クラウン１３の詳細な断面図である図６Ａにおいて例示される。これは、その内壁１４上に成型爆薬クラウン１５を含む。成型爆薬クラウン１５は、円環状でかつその外径側に開かれたシェル１を主に備える。それは、発熱性の材料を含んでいるかまたはそれでカバーされている装薬２で満たされて、発射コーティングによってカバーされている。
【００３３】
図６Ｂに関して、成型爆薬１５の発火は、突然の温度上昇を生じさせ、それに向いている接続クラウン１３の部分は、溶融するに至る。接続クラウン１３のこの部分の溶融点までの温度上昇は、このクラウン１３を２つの部分に分離させる。これらの２つの部分は、図６Ｃに表され、上方部分１３Ａおよび下方部分１３Ｂである。この図６Ｃにおいて、成型爆薬１５は、接続クラウン１３の壁１４に対して、シェル１のエッジ１Ａのうちの１つによって前もって取り付けられたことが理解される。それゆえ、接続クラウン１３の下方部分１３Ｂおよび上方部分１３Ａの両方が切り離された後、成型爆薬１５は、両部分のうちの１つ（ここでは接続クラウン１３の下方部分１３Ｂ）と一体に残る。実際、航空発射装置へのアプリケーションにおいて、成型爆薬１５が下方ステージと一体に残ることは、選択される。そしてそれは、エアロノーティカルクラフトの飛行を続行しなくて、地上に落下する。これは、飛行を続けている構造が必要性を超える期間にわたって暖められていることを防止するのを可能にする。
【００３４】
本発明による装置の２つの異なる実施形態において、接続クラウン１３は、それ単独で部分である（すなわち、切り離されなければならない（すなわち、ステージ８および中心のロケットエンジン１２Ｂ）第１の要素でもなく第２の要素でもない部分である）ことができる。次いで、この接続クラウン１３は、これらの両方の要素の各々に対して、その２つの端部によって溶接される。
【００３５】
第２の実施態様において、接続クラウン１３は、両方の要素（好ましくは下方要素、すなわち、中心のロケットエンジン１２Ｂ）のうちの１つの壁の一体部分であると考えられる。換言すれば、この場合、接続クラウン１３は、この中心のロケットエンジン１２Ｂの外壁から延びる。
【００３６】
遠隔の花火起動手段は、成型爆薬１５の爆発を開始するために提供される。
【図１】
0006598787.tif 000004
【図２】
0006598787.tif 000005
【図３】
0006598787.tif 000006
【図４】
0006598787.tif 000007
【図５Ａ】
0006598787.tif 000008
【図５Ｂ】
0006598787.tif 000009
【図５Ｃ】
0006598787.tif 000010
【図６Ａ】
0006598787.tif 000011
【図６Ｂ】
0006598787.tif 000012
【図６Ｃ】
0006598787.tif 000013